【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
商品に関する商品情報が記憶される記憶媒体と、携帯端末装置とを少なくとも含んで構成された買い物支援システムであって、
上記携帯端末装置は、
端末側記憶手段と、
上記記憶媒体から上記商品情報の読み取りを行う情報読取手段と、
上記情報読取手段により読み取られた上記商品情報をリスト情報として上記端末側記憶手段に対して記録する端末側記録手段とを備える
ことを特徴とする買い物支援システム。
【請求項２】
上記携帯端末装置は、ネットワークを介してサーバ装置に接続可能とされ、
上記サーバ装置は、
サーバ側記憶手段と、
上記ネットワークを介して上記携帯端末装置と接続されることに応じ、上記端末側記憶手段に記憶される上記リスト情報の少なくとも一部を上記サーバ側記憶手段に対して記録するサーバ側記録手段とを備える
ことを特徴とする請求項１に記載の買い物支援システム。
【請求項３】
上記サーバ装置は、ネットワークを介して更に情報処理装置に接続可能とされ、
上記情報処理装置は、
上記ネットワークを介して上記サーバ装置と接続されることに応じ、上記サーバ側記憶手段に記憶される上記リスト情報の取得を行うリスト情報取得手段を備える
ことを特徴とする請求項２に記載の買い物支援システム。
【請求項４】
上記携帯端末装置または上記情報処理装置の少なくともいずれか一方の装置において、上記リスト情報を表示するためのリスト情報表示手段を更に備える
ことを特徴とする請求項３に記載の買い物支援システム。
【請求項５】
上記携帯端末装置または上記情報処理装置の少なくともいずれか一方の装置において、上記リスト情報表示手段に表示される上記リスト情報を選択するための操作手段を更に備える
ことを特徴とする請求項４に記載の買い物支援システム。
【請求項６】
上記商品に関する詳細情報がネットワークを介して接続される所定のサーバ装置に格納され、上記商品情報には、上記詳細情報へのリンク情報が含まれている、
ことを特徴とする請求項１乃至請求項５いずれか１項に記載の買い物支援システム。
【請求項７】
上記詳細情報は、上記商品を販売する実店舗が管理するネットワーク上の仮想店舗内の商品掲載ページであり、上記リンク情報は、この商品掲載ページの所在を示すＵＲＩ情報とされる、
ことを特徴とする請求項６に記載の買い物支援システム。
【請求項８】
上記記憶媒体はＲＦＩＤチップとされることを特徴とする請求項１乃至請求項７いずれか１項に記載の買い物支援システム。
【請求項９】
上記記憶媒体にはバーコードにより情報が記憶されることを特徴とする請求項１乃至請求項７いずれか１項に記載の買い物支援システム。
【請求項１０】
商品に関する商品情報が記憶される記憶媒体と、携帯端末装置とを少なくとも含んで構成される買い物支援システムにおける買い物支援方法であって、
上記記憶媒体から上記商品情報の読み取りを行う情報読取手順と、
上記情報読取手順により読み取った上記商品情報を、上記携帯端末装置が備える端末側記憶手段に対してリスト情報として記録する記録手順と
を備えることを特徴とする買い物支援方法。
【請求項１１】
記憶手段と、
商品に関する商品情報が記憶される記憶媒体から上記商品情報の読み取りを行う情報読取手段と、
上記情報読取手段により読み取られた上記商品情報を、上記記憶手段に対してリスト情報として記録する記録手段と、
を備えることを特徴とする携帯端末装置。
【請求項１２】
上記リスト情報を表示するためのリスト情報表示手段を更に備えることを特徴とする請求項１１に記載の携帯端末装置。
【請求項１３】
上記リスト情報表示手段に表示されるリスト情報を選択するための操作手段を更に備えることを特徴とする請求項１２に記載の携帯端末装置。
【請求項１４】
商品に関する商品情報が記憶される記憶媒体と、各々がネットワークを介して接続可能とされた携帯端末装置とサーバ装置とを少なくとも含んで構成され、且つ上記携帯端末装置が、端末側記憶手段と、上記記憶媒体から上記商品情報の読み取りを行う情報読取手段と、上記情報読取手段により読み取られた上記商品情報をリスト情報として上記端末側記憶手段に対して記録する端末側記録手段とを備えている買い物支援システムにおける上記サーバ装置であって、
サーバ側記憶手段と、
上記ネットワークを介して上記携帯端末装置と接続されることに応じ、上記端末側記憶手段に記憶される上記リスト情報を上記サーバ側記憶手段に対して記録するサーバ側記録手段と
を備えることを特徴とするサーバ装置。
【請求項１５】
商品に関する商品情報が記憶される記憶媒体と、各々がネットワークを介して接続可能とされた携帯端末装置とサーバ装置と情報処理装置とを少なくとも含んで構成され、且つ上記携帯端末装置が、端末側記憶手段と、上記記憶媒体から上記商品情報の読み取りを行う情報読取手段と、上記情報読取手段により読み取られた上記商品情報をリスト情報として上記端末側記憶手段に対して記録する端末側記録手段とを備え、また上記サーバ装置が、サーバ側記憶手段と、上記ネットワークを介して上記携帯端末装置と接続されることに応じ、上記端末側記憶手段に記憶される上記リスト情報を上記サーバ側記憶手段に対して記録するサーバ側記録手段とを備えている買い物支援システムにおける上記情報処理装置であって、
上記ネットワークを介して上記サーバ装置と接続されることに応じ、上記サーバ側記憶手段に記憶される上記リスト情報の取得を行うリスト情報取得手段を備える
ことを特徴とする情報処理装置。
【請求項１６】
記憶手段と、商品に関する商品情報が記憶される記憶媒体から上記商品情報の読み取りを行う情報読取手段とを備える携帯端末装置において実行されるべきプログラムであって、
上記情報読取手段により読み取られた上記商品情情報を上記記憶手段に対してリスト情報として記録する記録処理を、上記携帯端末装置に実行させる
ことを特徴とするプログラム。
【手続補正２】
【補正対象書類名】明細書
【補正対象項目名】発明の名称
【補正方法】変更
【補正の内容】
【発明の名称】買い物支援システム、買い物支援方法、携帯端末装置、プログラム
【手続補正３】
【補正対象書類名】明細書
【補正対象項目名】０００１
【補正方法】変更
【補正の内容】
【０００１】
本発明は、商品情報が記憶された記憶媒体を用いた買い物支援システムと買い物支援方法、及び携帯端末装置に関する。また、本発明としての携帯端末装置を実現するために実行されるべきプログラムに関する。
【手続補正４】
【補正対象書類名】明細書
【補正対象項目名】０００７
【補正方法】変更
【補正の内容】
【０００７】
そこで、本発明では以上のような問題点に鑑み、買い物支援システムとして以下のように構成することとした。
つまり、商品に関する商品情報が記憶される記憶媒体と、携帯端末装置とを少なくとも含んで構成された買い物支援システムであって、上記携帯端末装置は、端末側記憶手段と、上記記憶媒体から上記商品情報の読み取りを行う情報読取手段とを備える。
また、上記情報読取手段により読み取られた上記商品情報をリスト情報として上記端末側記憶手段に対して記録する端末側記録手段を備えるようにしたものである。
【手続補正５】
【補正対象書類名】明細書
【補正対象項目名】０００８
【補正方法】変更
【補正の内容】
【０００８】
また、本発明の買い物支援システムは、上記携帯端末装置が、ネットワークを介してサーバ装置に接続可能とされ、上記サーバ装置が、サーバ側記憶手段と、上記ネットワークを介して上記携帯端末装置と接続されることに応じ、上記端末側記憶手段に記憶される上記リスト情報の少なくとも一部を上記サーバ側記憶手段に対して記録するサーバ側記録手段とを備えるものである。
さらに、上記サーバ装置が、ネットワークを介して更に情報処理装置に接続可能とされ、上記情報処理装置が、上記ネットワークを介して上記サーバ装置と接続されることに応じ、上記サーバ側記憶手段に記憶される上記リスト情報の取得を行うリスト情報取得手段を備えるものである。
【手続補正６】
【補正対象書類名】明細書
【補正対象項目名】０００９
【補正方法】変更
【補正の内容】
【０００９】
さらに、本発明では携帯端末装置として以下のように構成することとした。
つまり、記憶手段と、商品に関する商品情報が記憶される記憶媒体から上記商品情報の読み取りを行う情報読取手段と、上記情報読取手段により読み取られた上記商品情報を、上記記憶手段に対してリスト情報として記録する記録手段とを備えるものである。
【手続補正７】
【補正対象書類名】明細書
【補正対象項目名】００１０
【補正方法】変更
【補正の内容】
【００１０】
上記のようにして、所要の記憶媒体に対して商品情報を記憶させておいた上で、携帯端末装置にてこの記憶媒体に記憶された商品情報を読み取ってこれをリスト情報として記録する構成としたことで、例えばユーザが手動で商品情報を入力する手間なく、商品情報についてのリスト情報を作成することができる。つまりこれにより、実店舗で販売される現実の商品についても、簡易な操作によりウィッシュリストを作成することができる。
その上で、上記本発明によれば、携帯端末装置とネットワークを介して接続されたサーバ装置では、上記携帯端末装置にて作成されたリスト情報を自らが備えるサーバ側記憶手段に記録するようにされる。さらに、情報処理装置では、このように記録されたサーバ装置側のリスト情報を取得するようにされている。これによって結果的に携帯端末装置と情報処理装置との間で、リスト情報の内容が共有化される。